(57)【要約】【課題】一のＩ／Ｏポートで音出力部から出力される音量の調整を適正に行う。【解決手段】音出力部８から出力される音量を制御する音量制御素子７が接続されるＩ／Ｏポート５１を有する音量調整制御回路部５を備える電子機器１００である。音量制御素子は、所定の中間電位が印加された状態にてハイレベル若しくはローレベルの電圧が印加されるごとに音出力部に対して音量を段階的に変更する音量変更信号を出力し、音量調整制御回路部は、音量制御素子に対する印加電圧を、音出力部の待機状態にて、Ｉ／Ｏポートのインプットポートを用いて中間電位に調整するとともに、ボリューム操作キー４から出力された音量を変更する指示信号の入力に基づいて、Ｉ／Ｏポートをインプットポートからアウトプットポートに切り換えてハイレベル若しくはローレベルの電圧とするように調整する印加電圧調整部５２を備える。【選択図】図１
2007005954.tif 000002
【特許請求の範囲】
【請求項１】
音出力部と、前記音出力部から出力される音量を制御する音量制御素子と、前記音量制御素子が接続されるＩ／Ｏポートを有する音量調整制御回路とを備える電子機器であって、
前記音量制御素子は、ハイレベルの電圧とローレベルの電圧との中間電位が印加された状態にて、前記ハイレベル若しくは前記ローレベルの電圧が印加されるごとに前記音出力部に対して音量を段階的に変更する音量変更信号を出力し、
前記音出力部から出力される音量を変更させる指示信号を出力する指示信号出力手段を備え、
前記音量調整制御回路は、
前記音量制御素子に対して印加される電圧を、前記音出力部から出力される音量が略一定な状態にて、前記Ｉ／Ｏポートのインプットポートを用いて前記中間電位に調整するとともに、前記指示信号出力手段から出力された前記指示信号の入力に基づいて、前記インプットポートからアウトプットポートに切り換えて前記ハイレベル若しくは前記ローレベルの電圧とするように調整する印加電圧調整手段を備えることを特徴とする電子機器。
【請求項２】
音出力部から出力される音量を制御する音量制御素子が接続されるＩ／Ｏポートを備える音量調整制御回路であって、
前記音量制御素子は、ハイレベルの電圧とローレベルの電圧との中間電位が印加された状態にて、前記ハイレベル若しくは前記ローレベルの電圧が印加されるごとに前記音出力部に対して音量を段階的に変更する音量変更信号を出力し、
前記音量制御素子に対して印加される電圧を、前記音出力部から出力される音量が略一定な状態にて、前記Ｉ／Ｏポートのインプットポートを用いて前記中間電位に調整するとともに、前記音出力部から出力される音量を変更させる指示信号の入力に基づいて、前記インプットポートからアウトプットポートに切り換えて前記ハイレベル若しくは前記ローレベルの電圧とするように調整する印加電圧調整手段を備えることを特徴とする音量調整制御回路。
【発明の詳細な説明】
【技術分野】
【０００１】
本発明は、スピーカから出力される音量を調整する音量調整制御回路及びこれを搭載した電子機器に関する。
【背景技術】
【０００２】
従来、スピーカ等の音出力部から出力する音量を調整するための音量調整制御回路が搭載されたテレビジョン受信機やオーディオ機器等の電子機器が知られている。
【０００３】
かかる電子機器として、例えば、タイマにて指定された所定の時間にディスク等の再生を行う場合に、予め設定された所定のレベルまで音量を大きくするように構成されたオーディオ装置が開発されている（例えば、特許文献１参照。）。さらに、ＣＤ、カセット、ラジオなどの複数のソースから発せられる音量をソースの切換時に予め指定された所定の音声レベルに調整する音量調整装置も開発されている（例えば、特許文献２参照。）。
【０００４】
また、キースイッチの操作に基づいて音量を変更する際に、オーディオ入力信号のレベル調整を行ってオーディオ出力信号からノイズ信号を除去するように構成された電子機器も提案されている（例えば、特許文献３参照。）。
【０００５】
ところで、音出力部から出力される音量を制御する音量制御素子として、待機状態にて所定電位の電圧が印加され、音量を変更する際にハイレベル若しくはローレベルの電圧が印加されるごとに音出力部に対して音量を段階的に変更する音量変更信号を出力するように構成されたものが知られている。
【０００６】
具体的には、例えば図４（ａ）及び図４（ｂ）に示すように、音量制御素子１０７は、ボリュームコントロールポート１０６に接続されており、ＣＰＵ１０１の制御下にて、二つのＩ／Ｏポート１５１、１５１を介して所定の組み合わせでハイレベル若しくはローレベルの電圧が印加されることにより所定の音量変更信号を音出力部に出力するようになっている。即ち、例えば、待機状態（「ＳＹ−ＢＹ」）では、Ｉ／Ｏポート１からハイレベルの電圧が出力されるとともにＩ／Ｏポート２からローレベルの電圧が出力されるようになっており、また、音量をアップさせる場合（「ＵＰ」）には、Ｉ／Ｏポート１及びＩ／Ｏポート２の両方からハイレベルの電圧が出力されるようになっており、また、音量をダウンさせる場合（「ＤＯＷＮ」）には、Ｉ／Ｏポート１及びＩ／Ｏポート２の両方からローレベルの電圧が出力されるようになっている（図４（ｂ）参照）。
【特許文献１】実開平４−８６２５８号公報
【特許文献２】特開平２−２９４９８７号公報
【特許文献３】実開平４−７１０２２号公報
【発明の開示】
【発明が解決しようとする課題】
【０００７】
しかしながら、上記のように、一つの音量制御素子による音量の制御には、Ｉ／Ｏポートを二つ用いる必要があることから、Ｉ／Ｏポートの数が減少して接続される他の装置の数が制限されてしまうといった問題がある。
【０００８】
そこで、本発明の課題は、一のＩ／Ｏポートで音出力部から出力される音量の調整を適正に行うことができる電子機器及び音量調整制御回路を提供することである。
【課題を解決するための手段】
【０００９】
上記課題を解決するため、請求項１に記載の発明は、
音出力部と、前記音出力部から出力される音量を制御する音量制御素子と、前記音量制御素子が接続されるＩ／Ｏポートを有する音量調整制御回路とを備える電子機器であって
、
前記音量制御素子は、ハイレベルの電圧とローレベルの電圧との中間電位が印加された状態にて、前記ハイレベル若しくは前記ローレベルの電圧が印加されるごとに前記音出力部に対して音量を段階的に変更する音量変更信号を出力し、
前記音出力部から出力される音量を変更させる指示信号を出力する指示信号出力手段を備え、
前記音量調整制御回路は、
前記音量制御素子に対して印加される電圧を、前記音出力部から出力される音量が略一定な状態にて、前記Ｉ／Ｏポートのインプットポートを用いて前記中間電位に調整するとともに、前記指示信号出力手段から出力された前記指示信号の入力に基づいて、前記インプットポートからアウトプットポートに切り換えて前記ハイレベル若しくは前記ローレベルの電圧とするように調整する印加電圧調整手段を備えることを特徴としている。
【００１０】
請求項２に記載の発明は、
音出力部から出力される音量を制御する音量制御素子が接続されるＩ／Ｏポートを備える音量調整制御回路であって、
前記音量制御素子は、ハイレベルの電圧とローレベルの電圧との中間電位が印加された状態にて、前記ハイレベル若しくは前記ローレベルの電圧が印加されるごとに前記音出力部に対して音量を段階的に変更する音量変更信号を出力し、
前記音量制御素子に対して印加される電圧を、前記音出力部から出力される音量が略一定な状態にて、前記Ｉ／Ｏポートのインプットポートを用いて前記中間電位に調整するとともに、前記音出力部から出力される音量を変更させる指示信号の入力に基づいて、前記インプットポートからアウトプットポートに切り換えて前記ハイレベル若しくは前記ローレベルの電圧とするように調整する印加電圧調整手段を備えることを特徴としている。
【発明の効果】
【００１１】
請求項１に記載の発明によれば、印加電圧調整手段により、音量制御素子に対して印加される電圧が、音出力部から出力される音量が略一定な状態にて、Ｉ／Ｏポートのインプットポートを用いて中間電位に調整されるとともに、指示信号出力手段から出力され、音出力部から出力される音量を変更させる指示信号の入力に基づいて、Ｉ／Ｏポートをインプットポートからアウトプットポートに切り換えてハイレベル若しくはローレベルの電圧とされるように調整されるので、音出力部から出力される音量を変更する場合に、音量のアップ及びダウンの変更指示に係るハイレベル若しくはローレベルの電圧を一のＩ／Ｏポートを用いて音量制御素子に適正に印加することができ、音出力部から出力される音量の調整を適正に行うことができる。
【００１２】
請求項２に記載の発明によれば、印加電圧調整手段により、音量制御素子に対して印加される電圧が、音出力部から出力される音量が略一定な状態にて、Ｉ／Ｏポートのインプットポートを用いて中間電位に調整されるとともに、音出力部から出力される音量を変更させる指示信号の入力に基づいて、Ｉ／Ｏポートをインプットポートからアウトプットポートに切り換えてハイレベル若しくはローレベルの電圧とされるように調整されるので、音出力部から出力される音量を変更する場合に、音量のアップ及びダウンの変更指示に係るハイレベル若しくはローレベルの電圧を一のＩ／Ｏポートを用いて音量制御素子に適正に印加することができ、音出力部から出力される音量の調整を適正に行うことができる。
【発明を実施するための最良の形態】
【００１３】
以下に、本発明について、図面を用いて具体的な態様を説明する。ただし、発明の範囲は、図示例に限定されない。
【００１４】
ここで、図１は、本発明を適用した好適な一実施形態として例示する電子機器の要部構成を示すブロック図であり、図２は、電子機器に備わる音量調整制御回路部の回路構成を
模式的に示した図である。
【００１５】
本実施形態の電子機器１００は、例えば、テレビジョン受信機、ビデオ一体型テレビジョン受信機、オーディオ機器、ラジオ等の音を出力するものであり、具体的には、図１及び図２に示すように、ＣＰＵ１と、ＲＡＭ２と、ＲＯＭ３と、ボリューム操作キー４と、音量調整制御回路部５と、ボリュームコントロールポート６と、音量制御素子７と、音出力部８等を備えている。
【００１６】
ＣＰＵ（Central Processing Unit）１は、電子機器１００の各部を統括的に制御する
ものであり、ＲＯＭ３に記憶されている各種プログラムを読み出してＲＡＭ２の作業領域に展開し、当該プログラムに従って各種処理を実行するようになっている。
【００１７】
なお、ＣＰＵ１は、ＲＡＭ２及びＲＯＭ３とともに一のモジュールを構成したものであっても良い。
【００１８】
ＲＡＭ（Random Access Memory）２は、例えば、書き換え可能なメモリであり、ＣＰＵ１の制御下にてＲＯＭ３から読み出されたプログラムや各種データ等の格納領域や作業領域等を構成している。
【００１９】
ＲＯＭ（Read Only Memory）３は、例えば、読み出し専用のメモリであり、ＣＰＵ１の制御下にて実行されるＩ／Ｏポート切換プログラム３ａ等の各種プログラム、各プログラムの処理に係るデータ等を記憶している。
【００２０】
Ｉ／Ｏポート切換プログラム３ａは、ＣＰＵ１に、音出力部８から出力される音量が略一定の待機状態と音量をアップ若しくはダウンさせる場合とで、音量制御素子７に印加される電圧を変更するために、Ｉ／Ｏポート５１のインプットポートとアウトプットポートとを切り換える処理に係る機能を実現させるためのプログラムである。具体的には、ＣＰＵ１は、例えばＩ／Ｏポート５のインプットポートを用いて所定の電圧（中間電位（後述））を印加した音出力部８の待機状態にて、ボリューム操作キー４から出力された、音出力部８からの音量を変更させる指示信号が入力されると、Ｉ／Ｏポート切換プログラム３ａの実行に基づいて、インプットポートからアウトプットポートに切り換えるようになっている。
【００２１】
ボリューム操作キー４は、指示信号出力手段として、音出力部８から出力される音量を変更、即ち、アップ若しくはダウンさせる指示信号をＣＰＵ１に出力するものである。具体的には、ボリューム操作キー４として、音出力部８から出力される音量をアップさせるアップ指示信号を出力する音量アップキーと、音量をダウンさせるダウン指示信号を出力する音量ダウンキーとを備えている。
【００２２】
なお、ボリューム操作キー４は、ユーザにより操作されるごとに、所定の指示信号をＣＰＵ１に対して出力するようになっている。
【００２３】
音量調整制御回路部５は、例えば、ボリュームコントロールポート６を介して接続された音量制御素子７が接続されるＩ／Ｏポート５１と、Ｉ／Ｏポート５１に接続された音量制御素子７に対して印加される電圧を調整する印加電圧調整部５２とを備えている。
【００２４】
Ｉ／Ｏポート５１は、インプットポートとアウトプットポートを備え、例えば、ＣＰＵ１によるＩ／Ｏポート切換プログラム３ａの実行に基づいて、音出力部８の待機状態と音量を変更する場合とで切り換えられるようになっている。具体的には、Ｉ／Ｏポート５１は、例えば、音出力部８の待機状態にあってはインプットポートが用いられ、音出力部８の音量をアップ若しくはダウンさせる場合にあってはアウトプットポートが用いられるようになっている（図３参照）。
【００２５】
印加電圧調整部５２は、印加電圧調整手段として、ＣＰＵ１の制御下にて、音出力部８の待機状態と音量を変更する場合とでＩ／Ｏポート５１を介して音量制御素子７に印加される電圧を調整するものである。
【００２６】
具体的には、印加電圧調整部５２は、ＣＰＵ１によるＩ／Ｏポート切換プログラム３ａの実行に基づいてインプットポートに切り換えられた場合、即ち、待機状態にあっては、ＣＰＵ１の制御下にて、ハイレベルの電圧（２．８〜３．３［Ｖ］）とローレベルの電圧（０〜０．５［Ｖ］）との中間電位（１〜１．９［Ｖ］）が音量制御素子７に印加されるように印加電圧を調整するようになっている。
【００２７】
また、印加電圧調整部５２は、ＣＰＵ１によるＩ／Ｏポート切換プログラム３ａの実行に基づいてアウトプットポートに切り換えられた場合、即ち、音量を変更する場合にあっては、ＣＰＵ１の制御下にて、ハイレベル若しくはローレベルの電圧が印加されるように印加電圧を調整するようになっている。より具体的には、音量アップキーから出力されたアップ指示信号がＣＰＵ１に入力されることにより、当該ＣＰＵ１から出力された音量制御素子７にハイレベルの電圧を印加させる指示が印加電圧調整部５２に入力されることに基づいて、当該印加電圧調整部５２は、例えば、音量制御素子７にハイレベルの電圧を印加するように所定の信号線の接続状態を切り換える。また、音量ダウンキーから出力されたダウン指示信号がＣＰＵ１に入力されることにより、当該ＣＰＵ１から出力された音量制御素子７にローレベルの電圧を印加させる指示が印加電圧調整部５２に入力されることに基づいて、当該印加電圧調整部５２は、例えば、音量制御素子７にローレベルの電圧を印加するように所定の信号線の接続状態を切り換える。
【００２８】
ボリュームコントロールポート６は、例えば、音量制御素子７が接続され、当該音量制御素子７にＩ／Ｏポート５１を介して入力される所定の電圧を印加することができるようになっている。
【００２９】
音量制御素子７は、音出力部８から出力される音量を制御するものであり、具体的には、中間電位が印加された音出力部８の待機状態にて、ユーザによるボリューム操作キー４の操作に基づいて、ＣＰＵ１の制御下にてＩ／Ｏポート５１を介してハイレベル若しくはローレベルの電圧が印加されるごとに音出力部８に対して音量を段階的に変更する音量変更信号を出力するようになっている。
【００３０】
即ち、例えば音出力部８から出力される音量は６４段階のレベルに分けられており、音量制御素子７は、ハイレベルの電圧が印加されるごとに一段階音量をアップさせる音量変更信号を出力する一方で、ローレベルの電圧が印加されるごとに一段階音量をダウンさせる音量変更信号を出力するようになっている。
【００３１】
音出力部８は、例えば、スピーカ８１を備えて構成され、ＣＰＵ１の制御下にて入力され、図示しないアンプにて増幅された所定のオーディオ信号に基づいて所定の音を出力するものである。
【００３２】
また、音出力部８は、音量制御素子７から出力された音量変更信号が入力されることにより、当該音量変更信号に基づいて音量を変更させるようになっている。
【００３３】
次に、電子機器１００による音量調整制御について、図３を参照して詳細に説明する。図３は、音量調整制御において音量制御素子７に印加される電圧を模式的に示した図である。
【００３４】
図３に示すように、先ず、音出力部８から出力される音量が略一定の待機状態にあっては、ＣＰＵ１の制御下にて印加電圧調整部５２により調整された中間電位（１．６５［Ｖ］）が音量制御素子７に印加された状態となっている（待機状態１）。
【００３５】
そして、ユーザによりボリューム操作キー４の音量アップキーが操作されて当該音量アップキーから出力されたアップ指示信号がＣＰＵ１に入力されると、ＣＰＵ１は、ＲＯＭ３からＩ／Ｏポート切換プログラム３ａを読み出してＲＡＭ２に展開し、このＩ／Ｏポート切換プログラム３ａの実行に基づいて、Ｉ／Ｏポート５１をインプットポートからアウトプットポートに切り換える制御を行う。続けて、ＣＰＵ１は、所定の制御プログラムの実行に基づいて印加電圧調整部５２を制御して、音量制御素子７にハイレベルの電圧（３．３［Ｖ］）を所定時間印加させるように信号線の接続状態を切り換える。
【００３６】
これにより、ハイレベルの電圧が音量制御素子７に印加された状態となって（音量アップ）、音量制御素子７は、音出力部８に対して音量を一段階アップさせる音量変更信号を出力する。
【００３７】
なお、音量制御素子７に対するハイレベルの電圧が所定時間印加されると、ＣＰＵ１は、Ｉ／Ｏポート５１を制御して、Ｉ／Ｏポート５１をアウトプットポートからインプットポートに切り換えるようになっており、これにより、音出力部８が待機状態となる（待機状態２）。
【００３８】
また、ユーザによりボリューム操作キー４の音量ダウンキーが操作されて当該音量ダウンキーから出力されたダウン指示信号がＣＰＵ１に入力されると、ＣＰＵ１は、ＲＯＭ３から読み出したＩ／Ｏポート切換プログラム３ａに従って、Ｉ／Ｏポート５１をインプットポートからアウトプットポートに切り換える制御を行う。続けて、ＣＰＵ１は、所定の制御プログラムの実行に基づいて印加電圧調整部５２を制御して、音量制御素子７にローレベルの電圧（０［Ｖ］）を所定時間印加させるように信号線の接続状態を切り換える。
【００３９】
これにより、ローレベルの電圧が音量制御素子７に印加された状態となって（音量ダウン）、音量制御素子７は、音出力部８に対して音量を一段階ダウンさせる音量変更信号を出力する。
【００４０】
なお、音量制御素子７に対するローレベルの電圧が所定時間印加されると、ＣＰＵ１は、Ｉ／Ｏポート５１を制御して、Ｉ／Ｏポート５１をアウトプットポートからインプットポートに切り換えるようになっており、これにより、音出力部８が待機状態となる（待機状態３）。
【００４１】
また、音量制御素子７に対するハイレベル若しくはローレベルの電圧の印加時間は、例えば、数１０〜１００［ｍｓ］程度であれば良い。
【００４２】
以上のように、本実施形態の電子機器１００によれば、印加電圧調整部５２は、ＣＰＵ１の制御下にて、音量制御素子７に対して印加される電圧を、音出力部８の待機状態にて、Ｉ／Ｏポート５１のインプットポートを用いて中間電位に調整するとともに、ボリューム操作キー４から出力された音量を変更させる指示信号の入力に基づいて、Ｉ／Ｏポート５１をインプットポートからアウトプットポートに切り換えてハイレベル若しくはローレベルの電圧とするように調整することができる。
【００４３】
従って、音出力部８から出力される音量を変更する場合に、音量のアップ及びダウンの変更指示に係るハイレベル若しくはローレベルの電圧を一のＩ／Ｏポート５１を用いて音量制御素子７に適正に印加することができ、音出力部８から出力される音量の調整を適正に行うことができる。
【００４４】
これにより、従来のように、一の音量制御素子７による音量の制御にＩ／Ｏポート５１を二つ用いる必要がなくなり、音量制御素子７が接続されていない方のＩ／Ｏポート５１を他の装置の接続に用いることができる。
【００４５】
なお、本発明は、上記実施形態に限定されることなく、本発明の趣旨を逸脱しない範囲において、種々の改良並びに設計の変更を行っても良い。
【００４６】
例えば、音量制御素子７に対して印加される電圧の数値は一例であり、これに限られるものではない。
【図面の簡単な説明】
【００４７】
【図１】本発明を適用した好適な一実施形態として例示する電子機器の要部構成を示すブロック図である。
【図２】図１の電子機器に備わる音量調整制御回路部の回路構成を模式的に示した図である。
【図３】図１の電子機器による音量調整制御における印加電圧を模式的に示した図である。
【図４】従来の電子機器に備わる音量調整制御回路部の回路構成を模式的に示した図である。
【符号の説明】
【００４８】
１００  電子機器
１      ＣＰＵ
４      ボリューム操作キー（指示信号出力手段）
５      音量調整制御回路部
５１    Ｉ／Ｏポート
５２    印加電圧調整部（印加電圧調整手段）
７      音量制御素子
８      音出力部
【図１】
2007005954.tif 000003
【図２】
2007005954.tif 000004
【図３】
2007005954.tif 000005
【図４】
2007005954.tif 000006